(57)【特許請求の範囲】
【請求項１】
浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にし、さらに、給湯部からの湯水は注湯管と該注湯管に設けられた注湯弁とを介して該循環路に接続されている風呂給湯装置において、
前記循環路は、吐出口および吸水口により浴槽と接続していて、流水センサと風呂温度検知器とが設けられ、
前記給湯部より浴槽への湯水の供給を制御する通水制御部と、浴槽の残水を算出する残水演算部を有する風呂炊き制御部とを備えて成り、
前記通水制御部は、前記吸水口より浴槽内の残水を前記ポンプにより前記循環路に吸い込み、設定温度と前記風呂温度検知器による残水温度との差が追焚の為の余裕より低いときは、所定量の試し足し湯水を前記給湯部より浴槽に供給し、設定温度と前記風呂温度検知器による残水温度との差が追焚の為の余裕より高いときは、試し足し湯水を供給することなく追炊きするものであり、
前記風呂炊き制御部の残水演算部は、設定温度と前記風呂温度検知器による残水温度との差が追焚の為の余裕より低いときは、前記通水制御部による試し足し湯水の供給の前後に前記風呂温度検知器が検出する水温の差により残水量を算出し、設定温度と前記風呂温度検知器による残水温度との差が追焚の為の余裕より高いときは、加熱量と温度上昇との関係により残水量を算出することを特徴とする風呂給湯装置。
【請求項２】
浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にし、さらに、給湯部からの湯水は注湯管と該注湯管に設けられた注湯弁とを介して該循環路に接続されている風呂給湯装置において、
前記循環路は、吐出口および吸水口により浴槽と接続していて、流水センサと風呂温度検知器とが設けられ、
前記給湯部より浴槽への湯水の供給を制御する通水制御部と、浴槽の残水を算出する残水演算部および浴槽温度管理部を有する風呂炊き制御部とを備えて成り、
前記通水制御部は、前記吸水口より浴槽内の残水を前記ポンプにより前記循環路に吸い込み、水面が前記吸水口より低くて前記流水センサが流水を検出できないときは、該吸水口より水面が上になるまでの所定量の湯水の供給を前記給湯部より行なってから、前記風呂温度検知器により残水温度を検出し、設定温度と前記風呂温度検知器による残水温度との差が追焚の為の余裕より低いときは、所定量の試し足し湯水を前記給湯部より浴槽に供給し、設定温度と前記風呂温度検知器による残水温度との差が追焚の為の余裕より高いときは、試し足し湯水を供給することなく前記浴槽温度管理部により追炊きするものであり、さらに前記風呂炊き制御部の残水演算部で算出された残水量と設定量との差を加えて設定量まで前記給湯部より浴槽に湯水を供給するものであり、
前記風呂炊き制御部の残水演算部は、設定温度と前記風呂温度検知器による残水温度との差が追焚の為の余裕より低いときは、前記通水制御部による試し足し湯水の供給の前後に前記風呂温度検知器が検出する水温の差により残水量を算出し、設定温度と前記風呂温度検知器による残水温度との差が追焚の為の余裕より高いときは、加熱量と温度上昇との関係により残水量を算出するものであり、
前記浴槽温度管理部は、浴槽の残水量と水温とに対応して風呂用熱交換器での追炊きを指示するものであることを特徴とする風呂給湯装置。
【請求項３】
浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にし、さらに、給湯部からの湯水は注湯管と該注湯管に設けられた注湯弁とを介して該循環路に接続されている風呂給湯装置において、
前記循環路は、吐出口および吸水口により浴槽と接続していて、流水センサと風呂温度検知器とが設けられ、
前記給湯部より浴槽への湯水の供給を制御する通水制御部と、浴槽の残水を算出する残水演算部および浴槽温度管理部を有する風呂炊き制御部とを備えて成り、
前記通水制御部は、前記吸水口より浴槽内の残水を前記ポンプにより前記循環路に吸い込み、水面が前記吸水口より低いときは該吸水口より水面が上になるまでの所定量の湯水の供給を前記給湯部より行ない、前記風呂温度検知器により残水温度を検出し、設定温度と前記風呂温度検知器による残水温度との差が追焚の為の余裕より低いときは、所定量の試し足し湯水を前記給湯部より浴槽に供給し、設定温度と前記風呂温度検知器による残水温度との差が追焚の為の余裕より高いときは、試し足し湯水を供給することなく前記浴槽温度管理部により追炊きするものであり、さらに前記風呂炊き制御部の残水演算部で算出された残水量と設定量との差を加えて設定量まで前記給湯部より浴槽に湯水を供給するものであり、
前記風呂炊き制御部の残水演算部は、設定温度と前記風呂温度検知器による残水温度との差が追焚の為の余裕より高いときは追い炊きを行なった加熱量と湯温上昇との関係により残水量を算出し、設定温度と前記風呂温度検知器による残水温度との差が追焚の為の余裕より低いときは前記通水制御部による試し足し湯水の供給の前後に前記風呂温度検知器が検出する水温の差により残水量を算出するものであり、
前記浴槽温度管理部は、浴槽の残水量と水温とに対応して風呂用熱交換器での追炊きを指示するものであることを特徴とする風呂給湯装置。
【請求項４】
水面が前記吸水口より低いときの湯水の供給の所定量は、初期設定において、空の浴槽に一定の少量の湯水を複数回供給して、前記流水センサが最初に流水を検出したときの全供給量を基準湯量とし、該基準湯量と設定注湯量との差量と前記基準湯量より前記少量の湯水の一回分を引いた値との小さい方である請求項２または３記載の風呂給湯装置。
【請求項５】
浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にした風呂給湯装置の制御方法において、
所定量の試し足し湯水を前記給湯部より浴槽に供給する過程と、吸水口より浴槽内の残水を前記ポンプにより前記循環路に吸い込み、設定温度と残水温度との差が追焚の為の余裕より低いときは、所定量の試し足し湯水を浴槽に供給し、設定温度と残水温度との差が追焚の為の余裕より高いときは、試し足し湯水を供給することなく追炊きする過程と、設定温度と残水温度との差が追焚の為の余裕より低いときは、試し足し湯水の供給の前後の残水温度を検出する過程と、該供給の前後の水温差により残水量を算出する過程と、設定温度と残水温度との差が追焚の為の余裕より高いときは、加熱量と温度上昇との関係により残水量を算出する過程とを含むことを特徴とする風呂給湯装置の制御方法。
【請求項６】
浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にした風呂給湯装置の制御方法において、
水面が前記吸水口より低いときは該吸水口より水面が上になるまでの所定量の湯水の供給を前記給湯部より行なう過程と、設定温度と残水温度との差が追焚の為の余裕より低いときは、所定量の試し足し湯水を浴槽に供給し、設定温度と残水温度との差が追焚の為の余裕より高いときは、試し足し湯水を供給することなく追炊きする過程と、設定温度と残水温度との差が追焚の為の余裕より低いときは、試し足し湯水の供給の前後の水温の差により残水量を算出し、設定温度と残水温度との差が追焚の為の余裕より高いときは、加熱量と温度上昇との関係により残水量を算出する過程と、算出された残水量と設定量との差を加えて設定量まで前記給湯部より浴槽に湯水を供給する過程と、浴槽の残水量と水温とに対応して風呂用熱交換器での追炊きをする過程とを含むことを特徴とする風呂給湯装置の制御方法。
【請求項７】
浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にした風呂給湯装置の制御方法において、
水面が前記吸水口より低いときは該吸水口より水面が上になるまでの所定量の湯水の供給を前記給湯部より行なう過程と、吸水口より浴槽内の残水を前記ポンプにより前記循環路に吸い込んで残水温度を検出し、設定温度と残水温度との差が追焚の為の余裕より低いときは、所定量の試し足し湯水を前記給湯部より浴槽に供給し、設定温度と残水温度との差が追焚の為の余裕より高いときは、試し足し湯水を供給することなく追炊きする過程と、
設定温度と残水温度との差が追焚の為の余裕より高いときは、追い炊きを行なって加熱量と湯温上昇との関係により残水量を算出する過程と、設定温度と残水温度との差が追焚の為の余裕より低いときは、試し足し湯水の供給の後の残水温度を検出し、試し足し湯水の供給の前後の水温差により残水量を算出する過程と、算出された残水量と設定量との差を加えて設定量まで前記給湯部より浴槽に湯水を供給する過程と、浴槽の残水量と水温とに対応して風呂用熱交換器での追炊きをする過程とを含むことを特徴とする風呂給湯装置の制御方法。
【発明の詳細な説明】
【０００１】
【発明の属する技術分野】
本発明は、浴槽に湯水を供給可能な給湯用熱交換器を有する給湯部と、循環路を介して浴槽と接続する風呂用熱交換器を有する風呂炊き部とを備え、該風呂炊き部で、浴槽中の残水を該循環路を介してポンプで循環させ、該風呂用熱交換器で追炊き可能にした風呂給湯装置および、その制御方法に関する。
【０００２】
【従来の技術】
近来、風呂の湯張りを自動的に行なえるようにした装置が提案されている。そのような従来の技術では、風呂に湯を張る場合、風呂の残水の温度と量とがわかっていないと適切に湯を張ることはできないので、残水を調べるのに、特定の短時間だけ風呂バーナを燃焼させ、燃焼熱量と残水温度の上昇度とにより、残水の状態を検出することが行われている。
【０００３】
【発明が解決しようとする課題】
しかしながら、このような従来の技術では、残水の状態を検出するために、短時間とはいえ、必ず風呂バーナを燃焼させて加熱しなければならないので、残水が設定温度以上であっても浴槽の湯温が上がってしまい、かえって設定温度から離れてしまうという不都合が生じるという問題点があった。
【０００４】
本発明は、このような従来の技術が有する問題点に着目してなされたもので、風呂バーナを燃焼させることなく残水の状態を把握することが可能で、残水の状態に応じて適切に湯張りをすることができるようにした風呂給湯装置および、その制御方法を提供することを目的としている。
【０００５】
【課題を解決するための手段】
かかる目的を達成するための本発明の要旨とするところは、次の各項の発明に存する。
【０００６】
１  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂炊き部（３０）とを備え、該風呂炊き部（３０）で、浴槽（Ｂ）中の残水を該循環路（３６）を介してポンプ（３８ｂ）で循環させ、該風呂用熱交換器（３５）で追炊き可能にし、さらに、給湯部（２０）からの湯水は注湯管（３３）と該注湯管（３３）に設けられた注湯弁（３３ａ）とを介して該循環路（３６）に接続されている風呂給湯装置において、
前記循環路（３６）は、吐出口（３７ａ）および吸水口（３８ａ）により浴槽（Ｂ）と接続していて、流水センサ（３９ｂ）と風呂温度検知器（３９ａ）とが設けられ、
前記給湯部（２０）より浴槽（Ｂ）への湯水の供給を制御する通水制御部（５６）と、浴槽（Ｂ）の残水を算出する残水演算部（５８）を有する風呂炊き制御部（５７）とを備えて成り、
前記通水制御部（５６）は、前記吸水口（３８ａ）より浴槽（Ｂ）内の残水を前記ポンプ（３８ｂ）により前記循環路（３６）に吸い込み、設定温度と前記風呂温度検知器（３９ａ）による残水温度との差が追焚の為の余裕より低いときは、所定量の試し足し湯水を前記給湯部（２０）より浴槽（Ｂ）に供給し、設定温度と前記風呂温度検知器（３９ａ）による残水温度との差が追焚の為の余裕より高いときは、試し足し湯水を供給することなく追炊きするものであり、
前記風呂炊き制御部（５７）の残水演算部（５８）は、設定温度と前記風呂温度検知器（３９ａ）による残水温度との差が追焚の為の余裕より低いときは、前記通水制御部（５６）による試し足し湯水の供給の前後に前記風呂温度検知器（３９ａ）が検出する水温の差により残水量を算出し、設定温度と前記風呂温度検知器（３９ａ）による残水温度との差が追焚の為の余裕より高いときは、加熱量と温度上昇との関係により残水量を算出することを特徴とする風呂給湯装置。
【０００７】
２  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂炊き部（３０）とを備え、該風呂炊き部（３０）で、浴槽（Ｂ）中の残水を該循環路（３６）を介してポンプ（３８ｂ）で循環させ、該風呂用熱交換器（３５）で追炊き可能にし、さらに、給湯部（２０）からの湯水は注湯管（３３）と該注湯管（３３）に設けられた注湯弁（３３ａ）とを介して該循環路（３６）に接続されている風呂給湯装置において、
前記循環路（３６）は、吐出口（３７ａ）および吸水口（３８ａ）により浴槽（Ｂ）と接続していて、流水センサ（３９ｂ）と風呂温度検知器（３９ａ）とが設けられ、
前記給湯部（２０）より浴槽（Ｂ）への湯水の供給を制御する通水制御部（５６）と、浴槽（Ｂ）の残水を算出する残水演算部（５８）および浴槽温度管理部（５９）を有する風呂炊き制御部（５７）とを備えて成り、
前記通水制御部（５６）は、前記吸水口（３８ａ）より浴槽（Ｂ）内の残水を前記ポンプ（３８ｂ）により前記循環路（３６）に吸い込み、水面が前記吸水口（３８ａ）より低くて前記流水センサ（３９ｂ）が流水を検出できないときは、該吸水口（３８ａ）より水面が上になるまでの所定量の湯水の供給を前記給湯部（２０）より行なってから、前記風呂温度検知器（３９ａ）により残水温度を検出し、設定温度と前記風呂温度検知器（３９ａ）による残水温度との差が追焚の為の余裕より低いときは、所定量の試し足し湯水を前記給湯部（２０）より浴槽（Ｂ）に供給し、設定温度と前記風呂温度検知器（３９ａ）による残水温度との差が追焚の為の余裕より高いときは、試し足し湯水を供給することなく前記浴槽温度管理部（５９）により追炊きするものであり、さらに前記風呂炊き制御部（５７）の残水演算部（５８）で算出された残水量と設定量との差を加えて設定量まで前記給湯部（２０）より浴槽（Ｂ）に湯水を供給するものであり、
前記風呂炊き制御部（５７）の残水演算部（５８）は、設定温度と前記風呂温度検知器（３９ａ）による残水温度との差が追焚の為の余裕より低いときは、前記通水制御部（５６）による試し足し湯水の供給の前後に前記風呂温度検知器（３９ａ）が検出する水温の差により残水量を算出し、設定温度と前記風呂温度検知器（３９ａ）による残水温度との差が追焚の為の余裕より高いときは、加熱量と温度上昇との関係により残水量を算出するものであり、
前記浴槽温度管理部（５９）は、浴槽（Ｂ）の残水量と水温とに対応して風呂用熱交換器（３５）での追炊きを指示するものであることを特徴とする風呂給湯装置。
【０００８】
３  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂炊き部（３０）とを備え、該風呂炊き部（３０）で、浴槽（Ｂ）中の残水を該循環路（３６）を介してポンプ（３８ｂ）で循環させ、該風呂用熱交換器（３５）で追炊き可能にし、さらに、給湯部（２０）からの湯水は注湯管（３３）と該注湯管（３３）に設けられた注湯弁（３３ａ）とを介して該循環路（３６）に接続されている風呂給湯装置において、
前記循環路（３６）は、吐出口（３７ａ）および吸水口（３８ａ）により浴槽（Ｂ）と接続していて、流水センサ（３９ｂ）と風呂温度検知器（３９ａ）とが設けられ、
前記給湯部（２０）より浴槽（Ｂ）への湯水の供給を制御する通水制御部（５６）と、浴槽（Ｂ）の残水を算出する残水演算部（５８）および浴槽温度管理部（５９）を有する風呂炊き制御部（５７）とを備えて成り、
前記通水制御部（５６）は、前記吸水口（３８ａ）より浴槽（Ｂ）内の残水を前記ポンプ（３８ｂ）により前記循環路（３６）に吸い込み、水面が前記吸水口（３８ａ）より低いときは該吸水口（３８ａ）より水面が上になるまでの所定量の湯水の供給を前記給湯部（２０）より行ない、前記風呂温度検知器（３９ａ）により残水温度を検出し、設定温度と前記風呂温度検知器（３９ａ）による残水温度との差が追焚の為の余裕より低いときは、所定量の試し足し湯水を前記給湯部（２０）より浴槽（Ｂ）に供給し、設定温度と前記風呂温度検知器（３９ａ）による残水温度との差が追焚の為の余裕より高いときは、試し足し湯水を供給することなく前記浴槽温度管理部（５９）により追炊きするものであり、さらに前記風呂炊き制御部（５７）の残水演算部（５８）で算出された残水量と設定量との差を加えて設定量まで前記給湯部（２０）より浴槽（Ｂ）に湯水を供給するものであり、
前記風呂炊き制御部（５７）の残水演算部（５８）は、設定温度と前記風呂温度検知器（３９ａ）による残水温度との差が追焚の為の余裕より高いときは追い炊きを行なった加熱量と湯温上昇との関係により残水量を算出し、設定温度と前記風呂温度検知器（３９ａ）による残水温度との差が追焚の為の余裕より低いときは前記通水制御部（５６）による試し足し湯水の供給の前後に前記風呂温度検知器（３９ａ）が検出する水温の差により残水量を算出するものであり、
前記浴槽温度管理部（５９）は、浴槽（Ｂ）の残水量と水温とに対応して風呂用熱交換器（３５）での追炊きを指示するものであることを特徴とする風呂給湯装置。
【０００９】
４  水面が前記吸水口（３８ａ）より低いときの湯水の供給の所定量は、初期設定において、空の浴槽（Ｂ）に一定の少量の湯水を複数回供給して、前記流水センサ（３９ｂ）が最初に流水を検出したときの全供給量を基準湯量とし、該基準湯量と設定注湯量との差量と前記基準湯量より前記少量の湯水の一回分を引いた値との小さい方である請求項２または３記載の風呂給湯装置。
【００１０】
５  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂炊き部（３０）とを備え、該風呂炊き部（３０）で、浴槽（Ｂ）中の残水を該循環路（３６）を介してポンプ（３８ｂ）で循環させ、該風呂用熱交換器（３５）で追炊き可能にした風呂給湯装置の制御方法において、
所定量の試し足し湯水を前記給湯部（２０）より浴槽（Ｂ）に供給する過程と、吸水口（３８ａ）より浴槽（Ｂ）内の残水を前記ポンプ（３８ｂ）により前記循環路（３６）に吸い込み、設定温度と残水温度との差が追焚の為の余裕より低いときは、所定量の試し足し湯水を浴槽（Ｂ）に供給し、設定温度と残水温度との差が追焚の為の余裕より高いときは、試し足し湯水を供給することなく追炊きする過程と、設定温度と残水温度との差が追焚の為の余裕より低いときは、試し足し湯水の供給の前後の残水温度を検出する過程と、該供給の前後の水温差により残水量を算出する過程と、設定温度と残水温度との差が追焚の為の余裕より高いときは、加熱量と温度上昇との関係により残水量を算出する過程とを含むことを特徴とする風呂給湯装置の制御方法。
【００１１】
６  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂炊き部（３０）とを備え、該風呂炊き部（３０）で、浴槽（Ｂ）中の残水を該循環路（３６）を介してポンプ（３８ｂ）で循環させ、該風呂用熱交換器（３５）で追炊き可能にした風呂給湯装置の制御方法において、
水面が前記吸水口（３８ａ）より低いときは該吸水口（３８ａ）より水面が上になるまでの所定量の湯水の供給を前記給湯部（２０）より行なう過程と、設定温度と残水温度との差が追焚の為の余裕より低いときは、所定量の試し足し湯水を浴槽（Ｂ）に供給し、設定温度と残水温度との差が追焚の為の余裕より高いときは、試し足し湯水を供給することなく追炊きする過程と、設定温度と残水温度との差が追焚の為の余裕より低いときは、試し足し湯水の供給の前後の水温の差により残水量を算出し、設定温度と残水温度との差が追焚の為の余裕より高いときは、加熱量と温度上昇との関係により残水量を算出する過程と、算出された残水量と設定量との差を加えて設定量まで前記給湯部（２０）より浴槽（Ｂ）に湯水を供給する過程と、浴槽（Ｂ）の残水量と水温とに対応して風呂用熱交換器（３５）での追炊きをする過程とを含むことを特徴とする風呂給湯装置の制御方法。
【００１２】
７  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂炊き部（３０）とを備え、該風呂炊き部（３０）で、浴槽（Ｂ）中の残水を該循環路（３６）を介してポンプ（３８ｂ）で循環させ、該風呂用熱交換器（３５）で追炊き可能にした風呂給湯装置の制御方法において、
水面が前記吸水口（３８ａ）より低いときは該吸水口（３８ａ）より水面が上になるまでの所定量の湯水の供給を前記給湯部（２０）より行なう過程と、吸水口（３８ａ）より浴槽（Ｂ）内の残水を前記ポンプ（３８ｂ）により前記循環路（３６）に吸い込んで残水温度を検出し、設定温度と残水温度との差が追焚の為の余裕より低いときは、所定量の試し足し湯水を前記給湯部（２０）より浴槽（Ｂ）に供給し、設定温度と残水温度との差が追焚の為の余裕より高いときは、試し足し湯水を供給することなく追炊きする過程と、
設定温度と残水温度との差が追焚の為の余裕より高いときは、追い炊きを行なって加熱量と湯温上昇との関係により残水量を算出する過程と、設定温度と残水温度との差が追焚の為の余裕より低いときは、試し足し湯水の供給の後の残水温度を検出し、試し足し湯水の供給の前後の水温差により残水量を算出する過程と、算出された残水量と設定量との差を加えて設定量まで前記給湯部（２０）より浴槽（Ｂ）に湯水を供給する過程と、浴槽（Ｂ）の残水量と水温とに対応して風呂用熱交換器（３５）での追炊きをする過程とを含むことを特徴とする風呂給湯装置の制御方法。
【００１３】
前記発明は以下のように作用する。
【００１４】
給湯部（２０）では、設定に応じて給湯用熱交換器（２５）により水を加熱して浴槽（Ｂ）に湯水を供給可能である。風呂炊き部（３０）では、循環路（３６）を介して浴槽（Ｂ）内の残水をポンプ（３８ｂ）で循環させ、風呂用熱交換器（３５）で追炊き可能である。
残水の温度も量もわからない状態から湯を張って適切に風呂を沸かそうとする場合、通水制御部（５６）はポンプ（３８ｂ）に指示して浴槽（Ｂ）内の残水を循環路（３６）内に吸込む。流水センサ（３９ｂ）が流水を検知すれば風呂温度検知器（３９ａ）も温度を検出できる。
【００１５】
そこで、通水制御部（５６）は給湯部（２０）に指示して所定量の試し足し湯水を浴槽（Ｂ）に供給する。風呂温度検知器（３９ａ）が検出した供給の前後の水温の差から、残水演算部（５８）が残水の量を算出し、この残水と設定水量との差の分の湯が給湯部（２０）から浴槽（Ｂ）に供給される。
【００１６】
通水制御部（５６）がポンプ（３８ｂ）に指示して浴槽（Ｂ）内の残水を循環路（３６）内に吸込もうとしても、水面が吸水口（３８ａ）より低いときはできないので、流水センサ（３９ｂ）が水を検出しないとき、通水制御部（５６）は吸水口（３８ａ）より水面が上になるまでの所定量の湯水の供給を給湯部（２０）より行なう。そして、その後  試し足し湯水により残水演算部（５８）が残水量を算出する。
【００１７】
湯張り完遂のためには、算出された残水量と設定量との差を加えて設定量まで給湯部（２０）より浴槽（Ｂ）に湯水を供給する。また、このときの湯温が設定より低かったような場合、浴槽温度管理部（５９）は、浴槽（Ｂ）の残水量と水温とに対応して風呂用熱交換器（３５）で追炊きをする。
また、残水温度が所定の温度より低いときは試し足し湯水を使用することなく追い炊きを行なって加熱量と湯温上昇との関係により残水量を算出する。
【００１８】
なお、風呂の使用開始の初期設定において、空の浴槽（Ｂ）に一定の少量の湯水を複数回供給して、流水センサ（３９ｂ）が最初に流水を検出したときの全湯水の供給量を基準湯量として記憶してあり、水面が吸水口（３８ａ）より低いときの前記湯水の供給の所定量は、この基準湯量と設定注湯量との差か、基準湯量より前記一定の少量の湯水の一回分を引いた値との小さい方とする。
【００１９】
【発明の実施の形態】
以下、図面に基づき本発明の一実施の形態を説明する。
図１〜図３は本発明の一実施の形態を示している。
風呂給湯装置１０は、給湯部２０に風呂炊き部３０を並設して成る。
給湯部２０は、給湯用バーナ２１と該給湯用バーナ２１からの熱を給水に伝える給湯用の熱交換器２５とを備え、風呂炊き部３０は、風呂バーナ３１と風呂バーナ３１からの熱を追い炊き用の風呂給水に伝える風呂用の熱交換器３５とを備えている。
【００２０】
給湯部２０の給湯用バーナ２１には給湯用のガス配管２２が接続され、ガス配管２２にはガス開閉弁２２ａが設けられている。給湯用の熱交換器２５には給水管２６が接続され、給水管２６には、給水流量を検出するフローセンサ２６ａと給水温度を検出する給水温度センサ２６ｂが設けられている。給水温度センサ２６ｂは例えばサーミスタである。また、湯水の供給用の熱交換器２５に並列にバイパス通路２７が設けられているが、仕様によっては設けられないものもある。
【００２１】
給湯用の熱交換器２５の後には給湯配管２８が接続されており、給湯配管２８は各所の使用位置に延ばされてその末端に水栓２９が設けられている。水栓２９は必要に応じて複数設けられるのが普通である。また、給湯配管２８には出湯温度を検出する出湯温度センサ２８ａが設けられている。給湯部２０は、水栓２９の開栓に応じ給湯用バーナ２１に点火して温水を供給するよう動作するものである。
【００２２】
風呂炊き部３０の風呂バーナ３１の入口側には追い炊き用のガス配管３２が接続され、ガス配管３２にはガス開閉弁３２ａが介装されている。風呂バーナ３１が加熱する風呂用の熱交換器３５を経路中に含む循環路３６が浴槽Ｂとの間に配設されており、循環路３６は、熱交換器３５の出口側に接続する往管３７と追い炊き戻り管３８とにより浴槽Ｂと接続している。
【００２３】
給湯部２０の給湯配管２８と風呂炊き部３０の追い炊き戻り管３８とは風呂への注湯管３３で接続され、風呂への注湯管３３には電磁開閉弁である注湯弁３３ａが介装されている。追い炊き戻り管３８の始端の吸水口３８ａは浴槽Ｂの通常使用する湯水面より下の位置で浴槽Ｂに開口しており、往管３７の終端の吐出口３７ａも吸水口３８ａとほぼ同じ高さで浴槽Ｂに開口している。追い炊き戻り管３８には、ポンプ３８ｂが介装されるとともに、風呂温度検知器３９ａが装着され、さらに流水センサ３９ｂが装着されている。
【００２４】
そして、風呂給湯装置１０の湯水の供給や風呂沸かしを制御する制御部５０が設けられており、制御部５０にはリモートコントローラ５０ａが接続され、リモートコントローラ５０ａには、表示部５１，自動釦５２ａ，運転釦５３ａ，実行釦５３ｂ，湯水面設定釦５４ａ，５４ｂ，５４ｃおよび給湯温度の設定釦５５ａ，５５ｂなどが設けられている。これら釦類は使用により適宜設定され、例えば表示部５１への表示を利用し、湯水面設定釦は１個としてもよい。
【００２５】
制御部５０は、給湯部２０より浴槽Ｂへの湯水の供給を制御する通水制御部５６と、浴槽Ｂの残水を算出する残水演算部５８および浴槽温度管理部５９を有する風呂炊き制御部５７とを備えている。
【００２６】
通水制御部５６は、吸水口３８ａより浴槽Ｂ内の残水をポンプ３８ｂにより循環路３６に吸い込み、水面が吸水口３８ａより低いときは吸水口３８ａより水面が上になるまでの所定量の湯水の供給を給湯部２０より行ない、風呂温度検知器３９ａにより残水温度を検出し、所定の温度より高いときは、所定量の試し足し湯水を給湯部２０より浴槽Ｂに供給し、さらに風呂炊き制御部５７の残水演算部５８で算出された残水量と設定量との差を加えて設定量まで給湯部２０より浴槽Ｂに湯水を供給する。
【００２７】
風呂炊き制御部５７の残水演算部５８は、残水温度が所定の温度より低いときは、試し足し湯水を投入することなく追い炊きを行なって加熱量と湯温上昇との関係により残水量を算出し、残水温度が所定の温度より高いときは前記通水制御部５６による試し足し湯水の供給の前後に風呂温度検知器３９ａが検出する水温の差により残水量を算出する。
【００２８】
通水制御部５６は、残水演算部５８により算出された残水量がわかったところで設定量までの湯を浴槽Ｂに供給し、浴槽温度管理部５９は、浴槽Ｂの残水量と水温とに対応し必要であれば風呂バーナ３１に追炊きを指示するものである。
【００２９】
水面が前記吸水口３８ａより低いときの湯水の供給の所定量は、初期設定において、浴槽Ｂの吸水口３８ａまでの湯量を基準湯量として検出してその値を利用する。すなわち、空の浴槽Ｂに一定の少量の湯水を１回あるいは複数回供給して、前記流水センサ３９ｂが最初に流水を検出したときの全供給量を基準湯量とし、湯水の供給の所定量は、該基準湯量と設定注湯量との差量と前記基準湯量より前記少量の湯水の一回分を引いた値との小さい方に設定される。
【００３０】
次に流れ図を参照しながら作用を説明する。
水栓２９を開栓すると湯水の供給用の熱交換器２５内に水が流入するとともに、ガス開閉弁２２ａが開いて給湯用バーナ２１に点火し、給湯用バーナ２１からの熱が給水に伝えられ、設定温度に対応するよう加熱された温湯が水栓２９に供給される。
給湯部２０では、設定に応じて給湯用熱交換器２５により水を加熱して浴槽Ｂに湯水を供給可能である。風呂炊き部３０では、循環路３６を介して浴槽Ｂ内の残水をポンプ３８ｂで循環させ、風呂用熱交換器３５で追炊き可能である。
リモートコントローラ５０ａを操作することにより、残水の温度も量もわからない状態から湯を張って適切に風呂を沸かすことができる。
すなわち、湯水面設定釦５４ａ，５４ｂ，５４ｃのいずれかを押すことにより浴槽Ｂの設定湯量Ｑ２が設定され、給湯温度の設定釦５５ａ，５５ｂにより湯温の設定温度Ｔ１が設定される。設定結果は表示部５１に表示される。運転釦５３ａを押し、自動釦５２ａを押してから自動湯張りが開始する。
【００３１】
図４のステップＳ１において、まず、制御部５０の通水制御部５６はポンプ３８ｂに指示して浴槽Ｂ内の残水を吸水口３８ａから循環路３６の追い炊き戻り管３８内に吸込む。ステップＳ２で流水センサ３９ｂが流水を検知できればステップＳ３で風呂温度検知器３９ａも温度を検出できる。
【００３２】
残水の存在と温度とが検出できたらステップＳ４で設定温度Ｔ１と追炊きのほうが適していると考えられる温度Ｔ３との差と残水温度Ｔ２とが比較され、残水温度Ｔ２が低過ぎなければ、ポンプ３８ｂを止め、符号Ａから図５のステップＳ５に進む、ステップＳ５では、通水制御部５６は給湯部２０に指示し、注湯弁３３ａをステップＳ７までの短時間開き、所定量の試し足し湯水Ｑ３が風呂への注湯管３３から循環路３６の往管３７を経て吐出口３７ａより浴槽Ｂに供給する。また、一気に湯水を供給するために、追い炊き戻り管３８も利用していわゆるダブル搬送して供給することもなされる。ステップＳ６で所定量が通水されるとともに、供給された試し足し湯水Ｑ３の湯温Ｔ４は出湯温度センサ２８ａで検出されている。
【００３３】
試し足し湯水Ｑ３の投入により浴槽Ｂ内の湯温が変化するので、ステップＳ８でポンプ３８ｂを起動し、若干の攪拌時間をみてからステップＳ９で風呂温度検知器３９ａにより湯温を検出する。風呂温度検知器３９ａが検出した試し足し湯水Ｑ３の供給の前後の水温Ｔ２とＴ５との差から、ステップＳ１０において、風呂炊き制御部５７の残水演算部５８は残水量Ｑ１を算出する。なお、試し足し湯水Ｑ３は浴槽Ｂ内の残水の状態によるが、冷水でもよく、温水でもよい。
【００３４】
このステップＳ１０での残水量の算出は例えば次のようにしてなされる。
すなわち、残水温度Ｔ２がＴ４度Ｃの試し足し湯水Ｑ３リットルによりＴ５度Ｃとなったとすれば、
求める水量Ｑ１＝（（Ｑ３＊Ｔ５）−（Ｑ３＊Ｔ４））／（Ｔ２−Ｔ５）
Ｔ２：２０度Ｃ、Ｔ４：１０度Ｃ、Ｔ５：１８度Ｃ、Ｑ３：１０リットルとすると、
Ｑ１＝４０リットルになる。
【００３５】
次のステップＳ１１では、浴槽温度管理部５９が試し足し湯水Ｑ３の供給の後の水温Ｔ５と設定水温Ｔ１とを比較し、湯温Ｔ５が設定より低かったような場合、ステップＳ１２において、浴槽温度管理部５９は、浴槽Ｂの残水量と水温とに対応して風呂炊き部３０の風呂用熱交換器３５で追炊きをする。また、追炊きは単に風呂戻り温度を監視しながら行なってもよい。この追炊きが完了したらステップＳ１３でポンプ３８ｂを止め、符号Ｂから図４の流れの途中に復帰する。
【００３６】
ステップＳ１１で湯温Ｔ５が設定温度Ｔ１より高かったような場合、うめ水を入れて湯温を下げなければならない。浴槽温度管理部５９はステップＳ１４でポンプ３８ｂを止める。そこで、残水演算部５８はステップＳ１５で注水量Ｑ４を算出し、通水制御部５６がステップＳ１６，Ｓ１７で注湯弁３３ａを開き、風呂への注湯管３３から循環路３６を経て浴槽Ｂ内にうめ水Ｑ４を供給する。
【００３７】
このステップＳ１５での残水量の算出は例えば次のようにしてなされる。
すなわち、残水量Ｑ１で残水温度Ｔ５、入水温度がＴ４、設定温度がＴ１とすれば、
求める水量Ｑ４＝（（Ｑ１＊Ｔ５）−（Ｑ１＊Ｔ１））／（Ｔ１−Ｔ４）
Ｑ１：１００リットル、Ｔ５：５０度Ｃ、Ｔ４：１５度Ｃ、Ｔ１：４０度Ｃとすると、  Ｑ４＝１００リットルになる。
【００３８】
そして、ステップＳ１８，１９で浴槽Ｂ内を攪拌して温度分布を均一にし、ステップＳ２０で残水量Ｑ１とうめ水Ｑ４との和と設定湯量Ｑ２とが比較され、うめ水が足りなければ、ステップＳ２０Ａで不足分が注湯されてから、図４の流れ図の後の方の符号Ｃへ接続する。
ステップＳ４において、残水温度が所定の温度より低いときは試し足し湯水Ｑ３を使用することなくステップＳ２１，２２で追い炊きを行ない、ステップＳ２３で残水演算部５８が加熱量と湯温上昇との関係により残水量を算出する。
【００３９】
このステップＳ２３での残水量の算出は例えば次のようにしてなされる。
すなわち、器具の能力をＸとし、追炊きにより湯温が残水温度Ｔ２から設定湯温Ｔ１まで上昇したとすれば、
求める水量Ｑ１＝（Ｘ＊２５＊（追炊き時間ｔ２））／（Ｔ１−Ｔ２）
Ｘ：５号、Ｔ２：１７度Ｃ、Ｔ１：４２度Ｃ、ｔ２：１５分とすると、
Ｑ１＝７５リットルになる。
【００４０】
ステップＳ２４では、図５のステップＳ１３のあとも受け、残水量Ｑ１が設定量Ｑ２に達しているかを判断し、足りなければ、湯張り完遂のため、算出された残水量と設定量との差を加えるようステップＳ２５，２６，２７で不足分を設定量まで給湯部２０より浴槽Ｂに湯水を供給する。足りていれば注湯することなく符号ＣからステップＳ２８に進む。ステップＳ２８では最終的に目的とする設定温度Ｔ１に達しているか否かが判断され、達していなければステップＳ２９で追い炊きし、ステップＳ３０でポンプ３８ｂを止めれば沸き上がりである。
【００４１】
湯張り完遂のためには、算出された残水量と設定量との差を加えて設定量まで給湯部２０より浴槽Ｂに湯水を供給する。また、このときの湯温が設定より低かったような場合、浴槽温度管理部５９は、浴槽Ｂの残水量と水温とに対応して、あるいは風呂戻り温度を監視しながら風呂バーナ３１と風呂用熱交換器３５で追炊きをする。
先のステップＳ２において、通水制御部５６がポンプ３８ｂに指示して浴槽Ｂ内の残水を循環路３６内に吸込もうとしても、水面が吸水口３８ａより低いときは吸込めないので、流水センサ３９ｂが水を検出しないときはステップＳ３１でポンプ３８ｂを止め、通水制御部５６は、ステップＳ３２で注湯弁３３ａを開き、吸水口３８ａより水面が上になるまでの所定量の湯水の供給を給湯部２０より行なう。そして、その後、図６に示す処理を進め、状況に応じて試し足し湯水Ｑ３により残水演算部５８が残水量を算出する。
【００４２】
図９に示すように、浴槽Ｂ内の吸水口３８ａを越える位置の湯量を基準湯量Ｑａとし、設定湯量Ｑ２と基準湯量Ｑａとの差を湯量Ｑｂとすると、吸水口３８ａの位置の湯量はＱａ−ｂであり、設定湯量Ｑ２までの残量はＱｂ＋ｂである。これを前提として図６の流れ図を説明する。なお、Ｑａおよびｂについては後述する。
【００４３】
ステップＳ３３で基準湯量Ｑａと単位注湯量ｂとの差と湯量Ｑｂとが比較され、湯量Ｑｂの方が大きかったときは、湯量Ｑｂを注湯したのでは浴槽Ｂがあふれるおそれがあるので、ステップＳ３４で湯量（Ｑａ−ｂ）が注湯される。そして、ステップＳ３６で流水センサ３９ｂが流水を検出できるか否かが判断され、検出できる場合は残水が吸水口３８ａを越えたことになるので、符号Ｄから図４のステップＳ２のあとへ戻る。流水センサ３９ｂが流水を検出できないときは、試し足し湯水による残水検出ができない状態であるので、ステップＳ３７，３８で不足分の湯量（Ｑｂ＋ｂ）が注湯され、湯量がＱ２に達するので、図４のステップＳ２６の後へ接続する。
【００４４】
また、ステップＳ３３で湯量Ｑｂの方が小さかったときは、あふれるおそれがないのでステップＳ３９で湯量Ｑｂが注湯され、ステップＳ４０，４１で流水センサ３９ｂが流水を検出できるか否かが判断され、検出できる場合は残水が吸水口３８ａを越えたことになるので、符号Ｄから図４のステップＳ２の後へ戻る。流水センサ３９ｂが流水を検出できない場合は、ステップＳ４４でＱａ＝Ｑａ−ＱｂとしてステップＳ３３の前に戻る。
【００４５】
ところで、風呂の使用開始の初期設定において、空の浴槽Ｂに一定の少量の湯水を複数回供給して、流水センサ３９ｂが最初に流水を検出したときの全供給量を基準湯量として記憶することが行なわれる。
すなわち、図１０に示すように、浴槽Ｂが空の状態から、先ずａだけ湯水を供給し、さらに一定の少量の湯水ｂを数回に分けて湯水を供給する。そして、水面が吸水口３８ａを越えたときの値を基準湯量Ｑａとする。
【００４６】
これを図７に示す流れ図で説明する。リモートコントローラ５０ａの自動釦５２ａをオンにすると、ステップＳ４５で先ず少し多めのａリットルが注湯される。次いでステップＳ４６を経てステップＳ４７で流水センサ３９ｂが流水を検出できるか否かが判断される。最初は検出できないはずであるので、検出できた場合は記憶モードはキャンセルする。次のステップＳ４８でポンプ３８ｂを止め、ステップＳ５１で流水センサ３９ｂが流水を検出するまでステップＳ４９，５０，５１をループする。
【００４７】
そして、ステップＳ５１で流水を検出できたら、そのときの値を基準湯量Ｑａとして記憶しておく。その後は、ステップＳ５３で追炊きし、湯温が設定値になったらステップＳ５４で沸き上がりとなる。
【００４８】
図８は浴槽Ｂの保温をする場合を示す流れ図である。
ステップＳ５５の沸き上がり状態から、ステップＳ５６，５７で設定時間例えば３０分ごとに時間を区切り、ステップＳ５８，５９で浴槽Ｂ内の湯温を検出し、湯温が設定温度以上であればステップＳ６０でステップＳ５６のまえに戻り、設定温度以下に下がっていれば、ステップＳ６１で追炊き用のタイマｔ２をセットし、ステップＳ６３で設定温度以上になるのを監視し、設定温度以上になったときはステップＳ６４でタイマを止め、ステップＳ６５でポンプ３８ｂを止める。ステップＳ６６では、加熱熱量と温度上昇から浴槽内の湯量を算出し、湯量が足りていればステップＳ６６でステップＳ５６のまえに戻し、足りなければステップＳ６７で足し湯する。
【００４９】
【発明の効果】
本発明に係る風呂給湯装置およびその制御方法によれば、風呂バーナを燃焼させることなく、試し足し湯水を浴槽に投入することによる温度差により残水の状態を把握することができるようにしたから、風呂バーナを燃焼させることも含み、残水の状態を適切に把握して適切に湯張りをすることができ、風呂を沸かす場合の使い勝手がきわめてよくなる。
【図面の簡単な説明】
【図１】本発明の一実施の形態に係る風呂給湯装置の制御部を示すブロック図である。
【図２】本発明の一実施の形態に係る風呂給湯装置のリモートコントローラの正面図である。
【図３】本発明の一実施の形態に係る風呂給湯装置を示す説明図である。
【図４】本発明の一実施の形態に係る風呂給湯装置の作用を表わす流れ図である。
【図５】本発明の一実施の形態に係る風呂給湯装置の作用を表わす流れ図である。
【図６】本発明の一実施の形態に係る風呂給湯装置の作用を表わす流れ図である。
【図７】本発明の一実施の形態に係る風呂給湯装置の作用を表わす流れ図である。
【図８】本発明の一実施の形態に係る風呂給湯装置の作用を表わす流れ図である。
【図９】本発明の一実施の形態に係る風呂給湯装置の浴槽への注湯の様子を示す説明図である。
【図１０】本発明の一実施の形態に係る風呂給湯装置の浴槽への注湯の様子を示す説明図である。
【符号の説明】
１０…風呂給湯装置
２０…給湯部
２１…給湯用バーナ
２５…給湯用の熱交換器
２６…給水管
２８…給湯配管
３０…風呂炊き部
３１…風呂バーナ
３３…風呂への注湯管
３３ａ…注湯弁
３５…風呂用の熱交換器
３６…循環路
３７…往管
３７ａ…吐出口
３８…追い炊き戻り管
３８ａ…吸水口
３８ｂ…ポンプ
３９ａ…風呂温度検知器
３９ｂ…流水センサ
Ｂ…浴槽
５０…制御部
５０ａ…リモートコントローラ
５６…通水制御部
５７…風呂炊き制御部
５８…残水演算部
５９…浴槽温度管理部
【図１】
0003720085.tif 000002
【図２】
0003720085.tif 000003
【図３】
0003720085.tif 000004
【図４】
0003720085.tif 000005
【図５】
0003720085.tif 000006
【図６】
0003720085.tif 000007
【図７】
0003720085.tif 000008
【図８】
0003720085.tif 000009
【図９】
0003720085.tif 000010
【図１０】
0003720085.tif 000011